(57)【要約】【課題】  光の受光状態によってＯＮ／ＯＦＦ状態が切り替わる既存の光スイッチを用いて、ＩＣチップに対する情報の書き込みや読み出しを光の受光状態によっても制御する。【解決手段】  アンテナ２０を介して非接触状態にて情報の書き込み及び読み出しが可能なＩＣチップ１０を、受光部１６にて光を受光した場合にのみ、変調部１２とアンテナ２０とがスイッチング部１７によって電気的に接続される構成とする。【選択図】図１
2006164166.tif 000002
【特許請求の範囲】
【請求項１】
ベース基材上に、アンテナが形成されるとともに該アンテナと接続されたＩＣチップが搭載され、前記アンテナを介して前記ＩＣチップに対する情報の書き込み及び読み出しが可能なＲＦ−ＩＤメディアであって、
前記ＩＣチップは、
前記アンテナを介して受信した信号を復調して復調された情報を記憶領域に書き込み、前記記憶領域に書き込まれた情報を変調して変調された信号を前記アンテナを介して送信する情報送受信手段と、
光を受光した場合にのみ、前記アンテナと前記情報送受信手段とを、前記アンテナを介して受信された信号が前記情報送受信手段に与えられ、かつ、前記情報送受信手段にて変調された変調信号が前記アンテナに与えられるような接続状態とする光スイッチとを有するＲＦ−ＩＤメディア。
【請求項２】
請求項１に記載のＲＦ−ＩＤメディアにおいて、
前記ＩＣチップは、前記アンテナと常時接続され、該アンテナに流れる電流によって、前記情報の書き込み及び読み出しを行うための電源を生成し、該電源を少なくとも前記情報送受信手段に供給する電源生成手段を有することを特徴とするＲＦ−ＩＤメディア。
【発明の詳細な説明】
【技術分野】
【０００１】
本発明は、非接触型ＩＣカードや非接触型ＩＣラベル等といった非接触状態にて情報の書き込み及び読み出しが可能なＲＦ−ＩＤメディアに関する。
【背景技術】
【０００２】
近年、情報化社会の進展に伴って、情報をカードに記録し、該カードを用いた情報管理や決済等が行われている。また、商品等に貼付されるタグ、ラベルに情報を記録し、このラベルを用いての商品等の管理も行われている。
【０００３】
このようなカードやタグ、ラベルを用いた情報管理においては、カードやタグ、ラベルに対して非接触状態にて情報の書き込み及び読み出しを行うことが可能なＩＣチップが搭載された非接触型ＩＣカードや非接触型ＩＣタグ、非接触型ＩＣラベルがその優れた利便性から急速な普及が進みつつある。
【０００４】
図３は、従来の非接触型ＩＣタグの一構成例を示す図であり、（ａ）は構造を示す図、（ｂ）は機能構成を示すブロック図である。
【０００５】
図３（ａ）に示すように本構成例においては、樹脂シート等からなるベース基材３０上に、コイル状の導電性アンテナ２０が形成されるとともに、このアンテナ２０のコイル状の両端に、アンテナ２０を介して非接触状態にて情報の書き込み及び読み出しが可能なＩＣチップ２１０が接続されて搭載されている。
【０００６】
また、ＩＣチップ２１０は図３（ｂ）に示すように、アンテナ２０を介して受信した信号を復調する復調部１１と、アンテナ２０を介して送信する情報を変調して変調信号とする変調部１２と、情報が書き込まれるメモリ１４と、復調部１１にて復調された信号を情報としてメモリ１４に書き込んだり、メモリ１４に書き込まれた情報を読み出したりする制御部１３と、アンテナ２０に流れる電流を整流して電源を生成する電源生成部１５とから構成されており、電源生成部１５にて生成された電源が、復調部１１、変調部１２及び制御部１３に供給され、それにより、復調部１１、変調部１２及び制御部１３が動作することになる。
【０００７】
上記のように構成されたＲＦ−ＩＤタグにおいては、外部に設けられた情報書込／読出装置に近接させることにより、情報書込／読出装置からの電磁誘導によりアンテナ２０からＩＣチップ２１０に電流が供給され、それにより、非接触状態において、情報書込／読出装置からＩＣチップ２１０内のメモリ１４に情報が書き込まれたり、ＩＣチップ２１０内のメモリ１４に書き込まれた情報が情報書込／読出装置にて読み出されたりする。
【０００８】
ここで、上述したようなＲＦ−ＩＤメディアに、光を受光する受光素子と、受光素子にて光を受光した場合に、アンテナにて受信された搬送波をＩＣチップに供給する搬送波スイッチとが設けられたものが考えられている（例えば、特許文献１参照。）。この技術においては、例えば、２つの受光素子を設けておき、一方の受光素子にて光を受光した場合に搬送波スイッチをＯＮ状態とし、他方の受光素子にて光を受光した場合に搬送波スイッチをＯＦＦ状態としたり、また、１つの受光素子を設け、受光素子にて光を受光した場合に搬送波スイッチをＯＮ状態とし、その後、制御回路からの命令によって搬送波スイッチをＯＦＦ状態としたりすることにより、ＩＣチップに対する情報の書き込みや読み出しを光の受光状態によっても制御している。
【特許文献１】特開２００３−３１７０５０号公報
【発明の開示】
【発明が解決しようとする課題】
【０００９】
しかしながら、上述した特許文献１に記載された技術においては、２つの受光素子のうち一方の受光素子にて光を受光した場合に搬送波スイッチをＯＮ状態とし、他方の受光素子にて光を受光した場合に搬送波スイッチをＯＦＦ状態としたり、また、受光素子にて光を受光した場合に搬送波スイッチをＯＮ状態とし、その後、制御回路からの命令によって搬送波スイッチをＯＦＦ状態としたりするといった特殊な制御を搬送波スイッチにて行う必要があるため、搬送波スイッチを専用に作製しなければならず、そのための開発コストがかかってしまうという問題点がある。
【００１０】
本発明は、上述したような従来の技術が有する問題点に鑑みてなされたものであって、光の受光状態によってＯＮ／ＯＦＦ状態が切り替わる既存の光スイッチを用いて、ＩＣチップに対する情報の書き込みや読み出しを光の受光状態によっても制御することができるＲＦ−ＩＤメディアを提供することを目的とする。
【課題を解決するための手段】
【００１１】
上記目的を達成するために本発明は、
ベース基材上に、アンテナが形成されるとともに該アンテナと接続されたＩＣチップが搭載され、前記アンテナを介して前記ＩＣチップに対する情報の書き込み及び読み出しが可能なＲＦ−ＩＤメディアであって、
前記ＩＣチップは、
前記アンテナを介して受信した信号を復調して復調された情報を記憶領域に書き込み、前記記憶領域に書き込まれた情報を変調して変調された信号を前記アンテナを介して送信する情報送受信手段と、
光を受光した場合にのみ、前記アンテナと前記情報送受信手段とを、前記アンテナを介して受信された信号が前記情報送受信手段に与えられ、かつ、前記情報送受信手段にて変調された変調信号が前記アンテナに与えられるような接続状態とする光スイッチとを有する。
【００１２】
また、前記ＩＣチップは、前記アンテナと常時接続され、該アンテナに流れる電流によって、前記情報の書き込み及び読み出しを行うための電源を生成し、該電源を少なくとも前記情報送受信手段に供給する電源生成手段を有することを特徴とする。
【００１３】
上記のように構成された本発明においては、ＩＣチップ内に設けられた光スイッチにて光が受光されていない場合は、光スイッチによって、アンテナと情報送受信手段とが、アンテナを介して受信された信号が情報送受信手段に与えられないような接続状態、あるいは、情報送受信手段にて変調された信号がアンテナに与えられないような接続状態とされているため、情報送受信手段において、アンテナを介して受信した情報を信号して記憶領域に書き込み、かつ、記憶領域に書き込まれた情報を変調してアンテナを介して送信することができない。一方、光スイッチにて光が受光されている場合は、光スイッチによって、アンテナと情報送受信手段とが、アンテナを介して受信された信号が情報送受信手段に与えられ、かつ、情報送受信手段にて変調された信号がアンテナに与えられるような接続状態とされているため、情報送受信手段において、アンテナを介して受信した信号を復調して記憶領域に書き込み、かつ、記憶領域に書き込まれた情報を変調してアンテナを介して送信することができる。
【００１４】
このようにして、光の受光状態によってＯＮ／ＯＦＦ状態が切り替わる既存の光スイッチを用いて、ＩＣチップに対する情報の書き込みや読み出しを光の受光状態によって制御することができる。
【発明の効果】
【００１５】
以上説明したように本発明においては、光を受光した場合にのみ、アンテナと情報送受信手段とを、アンテナを介して受信された信号が情報送受信手段に与えられ、かつ、情報送受信手段にて変調された信号がアンテナに与えられるような接続状態とする光スイッチを有する構成としたため、光の受光状態によってＯＮ／ＯＦＦ状態が切り替わる既存の光スイッチを用いて、ＩＣチップに対する情報の書き込みや読み出しを光の受光状態によって制御することができる。
【００１６】
また、ＩＣチップ内に、アンテナと常時接続され、アンテナに流れる電流によって、情報の書き込み及び読み出しを行うための電源を生成し、生成した電源を少なくとも情報送受信手段に供給する電源生成手段を有する構成としたものにおいては、ＩＣチップ内に電源を生成する電源生成手段を設けた場合でも、光の受光状態によって応答速度が遅くなってしまうことを回避することができる。
【発明を実施するための最良の形態】
【００１７】
以下に、本発明の実施の形態について図面を参照して説明する。
【００１８】
（第１の実施の形態）
図１は、本発明のＲＦ−ＩＤメディアの第１の実施の形態となる非接触型ＩＣタグを示す図であり、（ａ）は構造を示す図、（ｂ）は機能構成を示すブロック図である。
【００１９】
図１（ａ）に示すように本形態においては、樹脂シート等からなるベース基材３０上に、コイル状の導電性アンテナ２０が形成されるとともに、このアンテナ２０のコイル状の両端に、アンテナ２０を介して非接触状態にて情報の書き込み及び読み出しが可能なＩＣチップ１０が接続されて搭載されている。このＩＣチップ１０には受光部１６が設けられており、この受光部１６にて光を受光した場合にのみ、アンテナ２０を介して非接触状態にて情報の書き込み及び読み出しが可能な状態となる。
【００２０】
また、ＩＣチップ１０は図１（ｂ）に示すように、アンテナ２０を介して受信した信号を復調する復調部１１と、アンテナ２０を介して送信する情報を変調して変調信号とする変調部１２と、情報が書き込まれる記憶領域であるメモリ１４と、復調部１１にて復調された信号を情報としてメモリ１４に書き込んだり、メモリ１４に書き込まれた情報を読み出したりする制御部１３と、アンテナ２０に流れる電流を整流して電源を生成する電源生成部１５と、受光部１６にて光を受光した場合にのみ、アンテナ２０と変調部１２とを電気的に接続するスイッチング部１７とから構成されており、電源生成部１５にて生成された電源が、復調部１１、変調部１２及び制御部１３に供給され、それにより、復調部１１、変調部１２及び制御部１３が動作することになる。なお、復調部１１、変調部１２及び制御部１３から情報送受信手段が構成され、また、受光部１６とスイッチング部１７とから光スイッチが構成されている。この光スイッチとしては、例えば、Ｓｉ、Ｇｅ、ＣｄＳ等の材料からなる光ダイオードや、光トライアック、光トランジスタ、あるいはフォトＭＯＳリレー等を用いることができる。なお、光トランジスタやフォトＭＯＳリレーを用いる場合は、受光部１６にて光が受光されていない状態においてもこれらに電源を供給する必要があるため、電源生成部１５にて生成された電源がスイッチング部１７に供給されていることになる。
【００２１】
以下に、上記のように構成された非接触型ＩＣタグの動作について説明する。
【００２２】
まず、ＩＣチップ１０に設けられた受光部１６にて光が受光されていない場合の動作について説明する。
【００２３】
ＩＣチップ１０に対して非接触状態にて情報の書き込み及び読み出しを行う情報書込／読出装置（不図示）のアンテナに非接触型ＩＣタグ１を近接させると、情報書込／読出装置のアンテナを流れる電流によって生じた磁界により、アンテナ２０に電流が流れる。
【００２４】
すると、ＩＣチップ１０の電源生成部１５において、アンテナ２０を流れる電流が整流され、それにより、復調部１１、変調部１２及び制御部１３を動作させるための電源が生成される。この電源は、復調部１１、変調部１２及び制御部１３にそれぞれ供給される。
【００２５】
また、アンテナ２０を介して情報書込／読出装置から受信された信号が復調部１１にて復調され、制御部１３において、まず、復調された情報に含まれる命令が認識される。
【００２６】
復調部１１にて復調された情報に含まれる命令が、情報書込／読出装置から送信された情報をメモリ１４に書き込む命令であった場合、制御部１３における制御によって、復調部１１にて復調された情報に含まれる書き込み情報がメモリ１４に書き込まれる。
【００２７】
制御部１３におけるメモリ１４への情報の書き込みが終了すると、処理が終了した旨を示す情報が制御部１３から出力され、変調部１２において、アンテナ２０を介して送信可能な信号に変調されて出力される。
【００２８】
変調部１２から出力された信号は、スイッチング部１７に入力されるが、受光部１６にて光が受光されていないため、スイッチング部１７がＯＦＦ状態となっており、それにより、変調部１２から出力された信号はアンテナ２０に与えられない。
【００２９】
このため、情報書込／読出装置から送信された情報が非接触型ＩＣタグ１のメモリ１４に書き込まれるものの、メモリ１４への情報の書き込み処理が終了した旨を示す信号は情報書込／読出装置に送信されず、情報書込／読出装置においては、情報書込／読出装置から送信された情報が非接触型ＩＣタグ１のメモリ１４に書き込まれたかどうかを認識することができず、情報書込／読出装置から送信された情報の非接触型ＩＣタグ１のＩＣチップ１０への書き込みは完了しない。
【００３０】
また、復調部１１にて復調された情報に含まれる命令が、メモリ１４に書き込まれた情報を読み出す命令であった場合、制御部１３における制御によって、メモリ１４に書き込まれた情報が読み出され、変調部１２において、メモリ１４から読み出された情報が、アンテナ２０を介して送信可能な信号に変調されて出力される。
【００３１】
変調部１２から出力された信号は、スイッチング部１７に入力されるが、受光部１６にて光が受光されていないため、スイッチング部１７がＯＦＦ状態となっており、それにより、変調部１２から出力された信号はアンテナ２０に与えられない。
【００３２】
このため、情報書込／読出装置から送信された命令に従ってメモリ１４から情報が読み出されるものの、読み出された情報は情報書込／読出装置に送信されず、情報書込／読出装置においては、メモリ１４から読み出された情報を得ることができない。
【００３３】
次に、ＩＣチップ１０に設けられた受光部１６にて光が受光されている場合の動作について説明する。
【００３４】
ＩＣチップ１０に対して非接触状態にて情報の書き込み及び読み出しを行う情報書込／読出装置のアンテナに非接触型ＩＣタグ１を近接させると、情報書込／読出装置のアンテナを流れる電流によって生じた磁界により、アンテナ２０に電流が流れる。
【００３５】
すると、ＩＣチップ１０の電源生成部１５において、アンテナ２０を流れる電流が整流され、それにより、復調部１１、変調部１２及び制御部１３を動作させるための電源が生成される。この電源は、復調部１１、変調部１２及び制御部１３にそれぞれ供給される。
【００３６】
また、アンテナ２０を介して情報書込／読出装置から受信された信号が復調部１１にて復調され、制御部１３において、まず、復調された情報に含まれる命令が認識される。
【００３７】
復調部１１にて復調された情報に含まれる命令が、情報書込／読出装置から送信された情報をメモリ１４に書き込む命令であった場合、制御部１３における制御によって、復調部１１にて復調された情報に含まれる書き込み情報がメモリ１４に書き込まれる。
【００３８】
制御部１３におけるメモリ１４への情報の書き込みが終了すると、処理が終了した旨を示す情報が制御部１３から出力され、変調部１２において、アンテナ２０を介して送信可能な信号に変調されて出力される。
【００３９】
変調部１２から出力された信号はスイッチング部１７に入力される。ここで、スイッチング部１７においては、受光部１６にて光が受光されているためＯＮ状態となっており、それにより、変調部１２から出力された信号がアンテナ２０に与えられる。
【００４０】
アンテナ２０に与えられた信号は情報書込／読出装置に送信され、それにより、情報書込／読出装置において、情報書込／読出装置から送信された情報が非接触型ＩＣタグ１のメモリ１４に書き込まれたことを認識することができ、情報書込／読出装置から送信された情報の非接触型ＩＣタグ１のＩＣチップ１０への書き込みが完了する。
【００４１】
また、復調部１１にて復調された情報に含まれる命令が、メモリ１４に書き込まれた情報を読み出す命令であった場合、制御部１３における制御によって、メモリ１４に書き込まれた情報が読み出され、変調部１２において、メモリ１４から読み出された情報が、アンテナ２０を介して送信可能な信号に変調されて出力される。
【００４２】
変調部１２から出力された信号はスイッチング部１７に入力される。ここで、スイッチング部１７においては、受光部１６にて光が受光されているためＯＮ状態となっており、それにより、変調部１２から出力された信号がアンテナ２０に与えられる。
【００４３】
アンテナ２０に与えられた信号は情報書込／読出装置に送信され、それにより、情報書込／読出装置において、メモリ１４から読み出された情報を得ることができる。
【００４４】
（第２の実施の形態）
図２は、本発明のＲＦ−ＩＤメディアの第２の実施の形態となる非接触型ＩＣタグを示す図であり、（ａ）は構造を示す図、（ｂ）は機能構成を示すブロック図である。
【００４５】
図２（ａ）に示すように本形態においては、樹脂シート等からなるベース基材３０上に、コイル状の導電性アンテナ２０が形成されるとともに、このアンテナ２０のコイル状の両端に、アンテナ２０を介して非接触状態にて情報の書き込み及び読み出しが可能なＩＣチップ１１０が接続されて搭載されている。このＩＣチップ１１０には受光部１６が設けられており、この受光部１６にて光を受光した場合にのみ、アンテナ２０を介して非接触状態にて情報の書き込み及び読み出しが可能な状態となる。
【００４６】
また、ＩＣチップ１１０は図２（ｂ）に示すように、アンテナ２０を介して受信した信号を復調する復調部１１と、アンテナ２０を介して送信する情報を変調して変調信号とする変調部１２と、情報が書き込まれる記憶領域であるメモリ１４と、復調部１１にて復調された信号を情報としてメモリ１４に書き込んだり、メモリ１４に書き込まれた情報を読み出したりする制御部１３と、アンテナ２０に流れる電流を整流して電源を生成する電源生成部１５と、受光部１６にて光を受光した場合にのみ、アンテナ２０と復調部１１とを電気的に接続するスイッチング部１７とから構成されており、電源生成部１５にて生成された電源が、復調部１１、変調部１２及び制御部１３に供給され、それにより、復調部１１、変調部１２及び制御部１３が動作することになる。なお、なお、復調部１１、変調部１２及び制御部１３から情報送受信手段が構成され、また、受光部１６とスイッチング部１７とから光スイッチが構成されている。この光スイッチとしては、例えば、Ｓｉ、Ｇｅ、ＣｄＳ等の材料からなる光ダイオードや、光トライアック、光トランジスタ、あるいはフォトＭＯＳリレー等を用いることができる。なお、光トランジスタやフォトＭＯＳリレーを用いる場合は、受光部１６にて光が受光されていない状態においてもこれらに電源を供給する必要があるため、電源生成部１５にて生成された電源がスイッチング部１７に供給されていることになる。
【００４７】
以下に、上記のように構成された非接触型ＩＣタグの動作について説明する。
【００４８】
まず、ＩＣチップ１１０に設けられた受光部１６にて光が受光されていない場合の動作について説明する。
【００４９】
ＩＣチップ１１０に対して非接触状態にて情報の書き込み及び読み出しを行う情報書込／読出装置（不図示）のアンテナに非接触型ＩＣタグ１０１を近接させると、情報書込／読出装置のアンテナを流れる電流によって生じた磁界により、アンテナ２０に電流が流れる。
【００５０】
すると、ＩＣチップ１１０の電源生成部１５において、アンテナ２０を流れる電流が整流され、それにより、復調部１１、変調部１２及び制御部１３を動作させるための電源が生成される。この電源は、復調部１１、変調部１２及び制御部１３にそれぞれ供給される。
【００５１】
また、アンテナ２０を介して情報書込／読出装置から受信された信号がスイッチング部１７に入力されるが、受光部１６にて光が受光されていないため、スイッチング部１７がＯＦＦ状態となっており、それにより、アンテナ２０を介して情報書込／読出装置から受信された信号が復調部１１に与えられない。
【００５２】
このため、情報書込／読出装置から送信された信号は復調部１１に与えられず、情報書込／読出装置におけるＩＣチップ１０に対する情報の書き込みも読み出しも行うことはできない。
【００５３】
次に、ＩＣチップ１１０に設けられた受光部１６にて光が受光されている場合の動作について説明する。
【００５４】
ＩＣチップ１１０に対して非接触状態にて情報の書き込み及び読み出しを行う情報書込／読出装置のアンテナに非接触型ＩＣタグ１０１を近接させると、情報書込／読出装置のアンテナを流れる電流によって生じた磁界により、アンテナ２０に電流が流れる。
【００５５】
すると、ＩＣチップ１１０の電源生成部１５において、アンテナ２０を流れる電流が整流され、それにより、復調部１１、変調部１２及び制御部１３を動作させるための電源が生成される。この電源は、復調部１１、変調部１２及び制御部１３にそれぞれ供給される。
【００５６】
また、アンテナ２０を介して情報書込／読出装置から受信された信号がスイッチング部１７に入力される。ここで、スイッチング部１７においては、受光部１６にて光が受光されているためＯＮ状態となっており、それにより、アンテナ２０を介して情報書込／読出装置から受信された信号が復調部１１に与えられる。
【００５７】
アンテナ２０を介して情報書込／読出装置から受信された信号が復調部１１に与えられると、復調部１１において与えられた信号が復調され、制御部１３において、まず、復調された情報に含まれる命令が認識される。
【００５８】
復調部１１にて復調された情報に含まれる命令が、情報書込／読出装置から送信された情報をメモリ１４に書き込む命令であった場合、制御部１３における制御によって、復調部１１にて復調された情報に含まれる書き込み情報がメモリ１４に書き込まれる。
【００５９】
制御部１３におけるメモリ１４への情報の書き込みが終了すると、処理が終了した旨を示す情報が制御部１３から出力され、変調部１２において、アンテナ２０を介して送信可能な信号に変調されて出力される。
【００６０】
変調部１２から出力された信号はアンテナ２０を介して情報書込／読出装置に送信され、情報書込／読出装置において、情報書込／読出装置から送信された情報が非接触型ＩＣタグ１のメモリ１４に書き込まれたことを認識することができ、情報書込／読出装置から送信された情報の非接触型ＩＣタグ１０１のＩＣチップ１１０への書き込みが完了する。
【００６１】
また、復調部１１にて復調された情報に含まれる命令が、メモリ１４に書き込まれた情報を読み出す命令であった場合、制御部１３における制御によって、メモリ１４に書き込まれた情報が読み出され、変調部１２において、メモリ１４から読み出された情報が、アンテナ２０を介して送信可能な信号に変調されて出力される。
【００６２】
変調部１２から出力された信号はアンテナ２０を介して情報書込／読出装置に送信され、それにより、情報書込／読出装置において、メモリ１４から読み出された情報を得ることができる。
【００６３】
このように、上述した２つの実施の形態においては、受光部１６とスイッチング部１７とからなる既存の光スイッチを用いて、ＩＣチップ１０，１１０に対する情報の書き込みや読み出しが光の受光状態によっても制御されることになる。また、ＩＣチップ１０，１１０内にてアンテナ２０を流れる電流によって電源を生成する電源生成部１５が、この光スイッチを介さずにアンテナ２０と常時接続されているため、ＩＣチップ１０，１１０内に電源生成部１５を設け、かつ、受光部１６における光の受光状態によって情報の書き込み及び読み出しの制御を可能としながらも、応答速度が遅くなってしまうことがない。
【００６４】
なお、上述した２つの実施の形態においては、ＩＣチップ１０，１１０内に、アンテナ２０に流れる電流を整流して電源を生成する電源生成部１５を設け、電源生成部１５にて生成された電源が、復調部１１、変調部１２及び制御部１３に供給されているが、非接触型ＩＣタグ１，１０１内に電池等の電源を設けておき、この電源を、復調部１１、変調部１２及び制御部１３に供給する構成とすることも考えられる。
【００６５】
また、上述した２つの実施の形態においては、ベース基材３０の一方の面にアンテナ２０が形成されるとともにＩＣチップ１０が搭載されただけの形態を例に挙げて説明したが、ベース基材３０の一方の面あるいは両面に、紙や樹脂からなるシート基材を粘着剤を介して積層することも考えられる。ただしその場合においても、ＩＣチップ１０に設けられた受光部１６は、外部から光を受光可能なように露出させておく必要がある。また、上述したように、非接触型ＩＣタグ１，１０１に限らず、非接触型ＩＣラベルや非接触型ＩＣカードに本発明を適用できることは言うまでもない。
【図面の簡単な説明】
【００６６】
【図１】本発明のＲＦ−ＩＤメディアの第１の実施の形態となる非接触型ＩＣタグを示す図であり、（ａ）は構造を示す図、（ｂ）は機能構成を示すブロック図である。
【図２】本発明のＲＦ−ＩＤメディアの第２の実施の形態となる非接触型ＩＣタグを示す図であり、（ａ）は構造を示す図、（ｂ）は機能構成を示すブロック図である。
【図３】従来の非接触型ＩＣタグの一構成例を示す図であり、（ａ）は構造を示す図、（ｂ）は機能構成を示すブロック図である。
【符号の説明】
【００６７】
１，１０１    非接触型ＩＣタグ
１０，１１０    ＩＣチップ
１１    復調部
１２    変調部
１３    制御部
１４    メモリ
１５    電源生成部
１６    受光部
１７    スイッチング部
２０    アンテナ
３０    ベース基材
【図１】
2006164166.tif 000003
【図２】
2006164166.tif 000004
【図３】
2006164166.tif 000005